(57)【要約】【課題】通電駆動機構から栓蓋に対する駆動力の伝達ロスを効果的に抑制することができ、装置の動作安定性を高めることができる排水栓装置等を提供する。【解決手段】排水栓装置１は、排水口１０４に対応して設けられる本体管３１を有してなる配管３と、上下動することで排水口１０４を開閉する栓蓋５５と、栓蓋５５を電動させる栓蓋電動ユニット４とを備える。栓蓋電動ユニット４は、回動可能な回動部４１１等を具備してなる回動体４１と、通電により駆動可能な駆動部を有し、当該駆動部の駆動に伴い回動部４１１を回動させる通電駆動機構と、少なくとも回動体４１１及び通電駆動機構を保持するケースとを備える。配管３に対しケースが取付けられることで、配管３に対し栓蓋電動ユニット４が直接的に取付けられるように構成されている。【選択図】      図１
2018204368.tif 000002
【特許請求の範囲】
【請求項１】
槽体の底壁部に形成された排水口に対応して設けられる本体管を有してなる配管と、
上下動することで前記排水口を開閉する栓蓋と、
前記栓蓋を電動させる栓蓋電動ユニットとを備えた排水栓装置であって、
前記栓蓋電動ユニットは、
回動可能な回動部、及び、当該回動部の回動に伴い上下動可能とされた、前記栓蓋を上下動させるための支持部を具備してなる回動体と、
通電により駆動可能な駆動部を有し、当該駆動部の駆動に伴い前記回動部を回動させる通電駆動機構と、
少なくとも前記回動体及び前記通電駆動機構を保持するケースとを備え、
前記配管に対し前記ケースが取付けられることで、前記底壁部の裏側において前記配管に対し前記栓蓋電動ユニットが直接的に取付けられるように構成されていることを特徴とする排水栓装置。
【請求項２】
前記栓蓋電動ユニットは、前記駆動部にて生じた駆動力が、前記回動部に対し、直接又は前記ケース内に配置された歯車のみを介して伝達されるように構成されていることを特徴とする請求項１に記載の排水栓装置。
【請求項３】
前記配管に対し前記栓蓋電動ユニットを取付けた状態では、前記本体管内に前記支持部が配置されるとともに、当該支持部によって前記栓蓋が間接的に支持され、
前記支持部から前記栓蓋に対する駆動力の伝達経路に設けられ、少なくとも前記排水口が開状態である場合において前記栓蓋に対し下方に向けた力が加わったときに圧縮変形可能なアブソーバスプリングを有することを特徴とする請求項１又は２に記載の排水栓装置。
【請求項４】
前記通電駆動機構は、通電により前記駆動部が回動するモータであり、
前記配管に対し前記栓蓋電動ユニットが取付けられた状態において、前記回動部の回動軸に対し前記駆動部の回動軸が直交した状態となる、又は、前記回動部の回動軸を含み、かつ、前記駆動部の回動軸と平行な面に対し、当該面と直交する方向に沿って前記駆動部の回動軸を投影したとき、前記回動部の回動軸に対し、前記駆動部の回動軸を投影してなる直線が直交した状態となるように構成されていることを特徴とする請求項１乃至３のいずれか１項に記載の排水栓装置。
【請求項５】
前記栓蓋電動ユニットは、
前記ケース内に設けられ、前記回動部の回動に伴い変位可能な変位部材と、
前記変位部材の位置を検知することで、前記排水口の開閉状態を検知する開閉状態検知センサとを有することを特徴とする請求項１乃至４のいずれか１項に記載の排水栓装置。
【請求項６】
前記回動部の外周には、複数の歯を有するピニオンが設けられ、
前記変位部材は、前記ピニオンに対し直接的に噛合された複数の歯を備えてなるラックであることを特徴とする請求項５に記載の排水栓装置。
【請求項７】
前記栓蓋に対し直接又は間接的に取付けられるとともに、前記本体管の内周面に沿って配置され、かつ、前記支持部に支持される被支持部を有し、
前記配管に対し前記栓蓋電動ユニットが取付けられた状態において、前記支持部は前記本体管の中心軸に到達しない位置に設けられるように構成されていることを特徴とする請求項１乃至６のいずれか１項に記載の排水栓装置。
【請求項８】
前記栓蓋電動ユニットに代えて、前記配管に対し、前記栓蓋を手動で動作させるための栓蓋手動ユニットを取付可能であり、
前記栓蓋電動ユニット及び前記栓蓋手動ユニットは、それぞれ共通の取付手法によって前記配管へと取付可能に構成されていることを特徴とする請求項１乃至７のいずれか１項に記載の排水栓装置。
【請求項９】
前記通電駆動機構は、通電により前記駆動部が回動するモータであり、
前記駆動部にて生じた駆動力を、回転数を減じつつ前記回動部に対し伝達する減速歯車部を備えることを特徴とする請求項１乃至８のいずれか１項に記載の排水栓装置。
【請求項１０】
前記通電駆動機構は、通電により前記駆動部が回動するモータであり、
前記駆動部から前記回動部に対する動力の伝達機構は、前記駆動部の回転に伴い回転するウォームギアと、これに噛合された歯車とを備えていることを特徴とする請求項１乃至９のいずれか１項に記載の排水栓装置。
【請求項１１】
槽体の底壁部に形成された排水口に対応して設けられる本体管を有してなる配管と、上下動することで前記排水口を開閉する栓蓋とを備えた排水栓装置に用いられ、前記栓蓋を電動させるための栓蓋電動ユニットであって、
回動可能な回動部、及び、当該回動部の回動に伴い上下動可能とされた、前記栓蓋を上下動させるための支持部を具備してなる回動体と、
通電により駆動可能な駆動部を有し、当該駆動部の駆動に伴い前記回動部を回動させる通電駆動機構と、
少なくとも前記回動体及び前記通電駆動機構を保持するケースとを備え、
前記配管に対し前記ケースが取付けられることで、前記底壁部の裏側において前記配管に対し直接的に取付けられるように構成されていることを特徴とする栓蓋電動ユニット。
【発明の詳細な説明】
【技術分野】
【０００１】
本発明は、栓蓋を電動させることで排水口を開閉させる排水栓装置、及び、栓蓋を電動させるための栓蓋電動ユニットに関する。
【背景技術】
【０００２】
従来、槽体（例えば、浴槽や洗面ボールなど）の排水口を開閉するための排水栓装置が知られている。
【０００３】
排水栓装置は、例えば、排水口を開閉するための栓蓋と、上端部に栓蓋が取付けられた上下動可能な支持軸と、支持軸の下端部と接触可能な伝達部材（例えば、ワイヤなど）と、伝達部材を介して栓蓋を操作するための変位可能な操作部材（例えば、操作ボタンなど）を有してなる、槽体などに取付けられた操作装置とを備えている。そして、操作部材を変位させることで、伝達部材がその長手方向に沿って移動し、ひいては栓蓋が上下動することで、排水口の開閉状態が切換えられる。
【０００４】
また近年では、電動により栓蓋を上下動させることで、排水口の開閉状態を切換える排水栓装置が提案されている（例えば、特許文献１等参照）。この排水栓装置は、槽体のフランジに対応して状態可変機構を備えている。状態可変機構は、操作部材を備えた前記操作装置に対応するものである。
【０００５】
状態可変機構は、通電により駆動可能な通電駆動機構（ステッピングモータ）と、通電駆動機構により回動させられる回転軸と、回転軸と一体的に回転するカムと、カムの回転に伴い上下動する支持筒と、支持筒の上下動により往復移動する伝達部材（ワイヤ）とを備えている。そして、排水口の開閉状態の切換えは、所定の電動操作スイッチをオン操作又はオフ操作し、通電駆動機構を駆動させ、ひいては回転軸及びカムを回転させることで行われる。
【先行技術文献】
【特許文献】
【０００６】
【特許文献１】特開２０００−３０９９６６号公報
【発明の概要】
【発明が解決しようとする課題】
【０００７】
ところで、上記の排水栓装置において、通電駆動機構で生じた駆動力は、カムや支持筒、伝達部材（ワイヤ）などを介して栓蓋へと伝達される。すなわち、通電駆動機構で生じた駆動力は、伝達部材（ワイヤ）などを含む比較的長い伝達経路を介して栓蓋へと伝達される。従って、伝達経路が長い分、通電駆動機構から栓蓋に対して駆動力を伝達する際に、駆動力のロスが生じやすくなってしまい、ひいては装置の動作安定性が低下してしまうおそれがある。
【０００８】
本発明は、上記事情に鑑みてなされたものであり、その目的は、通電駆動機構から栓蓋に対する駆動力の伝達ロスを効果的に抑制することができ、装置の動作安定性を高めることができる排水栓装置等を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．槽体の底壁部に形成された排水口に対応して設けられる本体管を有してなる配管と、
上下動することで前記排水口を開閉する栓蓋と、
前記栓蓋を電動させる栓蓋電動ユニットとを備えた排水栓装置であって、
前記栓蓋電動ユニットは、
回動可能な回動部、及び、当該回動部の回動に伴い上下動可能とされた、前記栓蓋を上下動させるための支持部を具備してなる回動体と、
通電により駆動可能な駆動部を有し、当該駆動部の駆動に伴い前記回動部を回動させる通電駆動機構と、
少なくとも前記回動体及び前記通電駆動機構を保持するケースとを備え、
前記配管に対し前記ケースが取付けられることで、前記底壁部の裏側において前記配管に対し前記栓蓋電動ユニットが直接的に取付けられるように構成されていることを特徴とする排水栓装置。
【００１１】
上記手段１によれば、通電駆動機構などを有する栓蓋電動ユニットは、底壁部の裏側において配管に対し直接的に取付けられる。従って、栓蓋電動ユニット（特に通電駆動機構）を栓蓋の近傍に設けることができ、通電駆動機構から栓蓋に対する駆動力の伝達経路を著しく短いものとすることができる。これにより、通電駆動機構（駆動部）から栓蓋に対して駆動力を伝達する際に、駆動力のロスをより生じにくくさせることができ、栓蓋をより確実に動作させることができる。その結果、装置の動作安定性を高めることができる。
【００１２】
手段２．前記栓蓋電動ユニットは、前記駆動部にて生じた駆動力が、前記回動部に対し、直接又は前記ケース内に配置された歯車のみを介して伝達されるように構成されていることを特徴とする手段１に記載の排水栓装置。
【００１３】
上記手段２によれば、駆動部にて生じた駆動力は、回動部に対し、直接、又は、歯車のみを介して間接的に伝達される。従って、ワイヤ状の伝達部材を介して駆動力を伝達する場合と比較して、駆動力のロスをより生じにくくすることができる。その結果、栓蓋を一層確実に動作させることができ、装置の動作安定性をより向上させることができる。
【００１４】
手段３．前記配管に対し前記栓蓋電動ユニットを取付けた状態では、前記本体管内に前記支持部が配置されるとともに、当該支持部によって前記栓蓋が間接的に支持され、
前記支持部から前記栓蓋に対する駆動力の伝達経路に設けられ、少なくとも前記排水口が開状態である場合において前記栓蓋に対し下方に向けた力が加わったときに圧縮変形可能なアブソーバスプリングを有することを特徴とする手段１又は２に記載の排水栓装置。
【００１５】
上記手段３によれば、少なくとも排水口が開状態である場合において栓蓋に対し下方に向けた力が加わったときに、アブソーバスプリングが圧縮変形する。従って、栓蓋が踏まれた場合など、栓蓋に対し下方に向けた大きな力が加わった場合に、支持部や回動部、通電駆動機構などに対し過大な負荷が加わってしまうことを防止できる。その結果、支持部や通電駆動機構等における変形や破損をより確実に防止することができる。また、支持部によって支持される部材（例えば、後述する手段７の被支持部など）が、支持部から外れて脱落してしまうといった事態をより確実に防止でき、装置の動作安定性をより向上させることができる。
【００１６】
手段４．前記通電駆動機構は、通電により前記駆動部が回動するモータであり、
前記配管に対し前記栓蓋電動ユニットが取付けられた状態において、前記回動部の回動軸に対し前記駆動部の回動軸が直交した状態となる、又は、前記回動部の回動軸を含み、かつ、前記駆動部の回動軸と平行な面に対し、当該面と直交する方向に沿って前記駆動部の回動軸を投影したとき、前記回動部の回動軸に対し、前記駆動部の回動軸を投影してなる直線が直交した状態となるように構成されていることを特徴とする手段１乃至３のいずれかに記載の排水栓装置。
【００１７】
上記手段４によれば、回動部の回動軸に対し駆動部の回動軸が直交した状態となる、又は、投影面において、回動部の回動軸に対し駆動部の回動軸を投影した直線が直交した状態となるように構成されている。従って、両回動軸が平行に延びるような構成と比べて、回動部の回動軸方向に沿った栓蓋電動ユニットのサイズをより小さなものに抑えることができ、また、栓蓋電動ユニットのまとまりを非常に良いものとすることができる。これにより、栓蓋電動ユニットの取扱いが容易になるとともに、取付後において栓蓋電動ユニットが邪魔となりにくくなる。そのため、作業性や利便性を高めることができる。また、底壁部の裏側スペース（設置スペース）が比較的小さい場合であっても栓蓋電動ユニットを設けることが可能となり、設置自由度の向上を図ることができる。
【００１８】
手段５．前記栓蓋電動ユニットは、
前記ケース内に設けられ、前記回動部の回動に伴い変位可能な変位部材と、
前記変位部材の位置を検知することで、前記排水口の開閉状態を検知する開閉状態検知センサとを有することを特徴とする手段１乃至４のいずれかに記載の排水栓装置。
【００１９】
上記手段５によれば、開閉状態検知センサにより、ケース内に設けられた変位部材の位置を検知することで、排水口の開閉状態が検知される。ここで、変位部材はケース内に設けられているため、回動部及び変位部材を近接した状態で配置することができる。従って、回動部及び変位部材をより確実に連動させることができ、ひいては変位部材の位置を、回動部の状態（つまり、排水口の開閉状態）を反映したものとすることがより確実に可能となる。これにより、変位部材の位置に基づき、排水口の開閉状態をより正確に検知することできる。
【００２０】
手段６．前記回動部の外周には、複数の歯を有するピニオンが設けられ、
前記変位部材は、前記ピニオンに対し直接的に噛合された複数の歯を備えてなるラックであることを特徴とする手段５に記載の排水栓装置。
【００２１】
上記手段６によれば、回動部に対し変位部材が直接的に噛合されているため、回動部及び変位部材を一層確実に連動させることができる。これにより、変位部材の位置を、回動部の状態（つまり、排水口の開閉状態）を反映したものとすることがより一層確実に可能となる。その結果、変位部材の位置に基づき、排水口の開閉状態を一段と正確に把握することができ、排水口の開閉状態に係る検知精度をより高めることができる。
【００２２】
手段７．前記栓蓋に対し直接又は間接的に取付けられるとともに、前記本体管の内周面に沿って配置され、かつ、前記支持部に支持される被支持部を有し、
前記配管に対し前記栓蓋電動ユニットが取付けられた状態において、前記支持部は前記本体管の中心軸に到達しない位置に設けられるように構成されていることを特徴とする手段１乃至６のいずれかに記載の排水栓装置。
【００２３】
上記手段７によれば、本体管の中心軸に到達しないように構成された比較的短い支持部によって、本体管の内周面に沿って配置された被支持部が支持される。従って、支持部に対し、排水に含まれるごみや毛髪等の異物が付着してしまうことを効果的に抑制できる。さらに、配管のうち支持部から先（下方）に位置する部位などを比較的容易に清掃することができる。これらの結果、清掃性や衛生性の向上を図ることができる。
【００２４】
手段８．前記栓蓋電動ユニットに代えて、前記配管に対し、前記栓蓋を手動で動作させるための栓蓋手動ユニットを取付可能であり、
前記栓蓋電動ユニット及び前記栓蓋手動ユニットは、それぞれ共通の取付手法によって前記配管へと取付可能に構成されていることを特徴とする手段１乃至７のいずれか１項に記載の排水栓装置。
【００２５】
上記手段８によれば、配管に対し、栓蓋電動ユニット及び栓蓋手動ユニットのいずれかを選択的に取付けることができる。その上で、両ユニットは、共通の取付手法によって配管へと取付可能とされている。すなわち、どちらのユニットを取付ける場合であっても、取付手法に変わりはない。従って、ユニットの取付に係る利便性を高めることができ、ユニットの切替などの作業を非常に容易に行うことができる。
【００２６】
また、どちらのユニットを用いた場合であっても、栓蓋や配管などを共通で用いることができる。従って、製造コストの低減を図ることができる。
【００２７】
手段９．前記通電駆動機構は、通電により前記駆動部が回動するモータであり、
前記駆動部にて生じた駆動力を、回転数を減じつつ前記回動部に対し伝達する減速歯車部を備えることを特徴とする手段１乃至８のいずれかに記載の排水栓装置。
【００２８】
上記手段９によれば、減速歯車部で生じる抵抗（摩擦力等）によって、駆動部で生じた駆動力以外の外力の影響によって回動部が意図せず回動してしまうことをより確実に防止でき、回動部を一定位置にてロックすることが可能となる。従って、回動部をロックするにあたって、ロックのための機構を別途設ける必要はなく、さらに、ロックのために電力を要することもない。そのため、製造コストを抑えることができ、また、使用に際しては、非常に省エネルギーでかつ経済的というメリットを生じさせることができる。
【００２９】
手段１０．前記通電駆動機構は、通電により前記駆動部が回動するモータであり、
前記駆動部から前記回動部に対する動力の伝達機構は、前記駆動部の回転に伴い回転するウォームギアと、これに噛合された歯車とを備えていることを特徴とする請求項１乃至９のいずれかに記載の排水栓装置。
【００３０】
上記手段１０によれば、ウォームギア及びこれに噛合された歯車により奏されるセルフロック効果によって、回動部が意図せず回動してしまうことを一層確実に防止でき、回動部を一定位置にてロックするといったことがより確実に可能となる。これにより、上記手段９と同様の作用効果が奏されることになる。
【００３１】
尚、回動部のロック機能をより高めるという点では、上記手段９の構成及び上記手段１０の構成を合わせて採用することが効果的である。
【００３２】
手段１１．槽体の底壁部に形成された排水口に対応して設けられる本体管を有してなる配管と、上下動することで前記排水口を開閉する栓蓋とを備えた排水栓装置に用いられ、前記栓蓋を電動させるための栓蓋電動ユニットであって、
回動可能な回動部、及び、当該回動部の回動に伴い上下動可能とされた、前記栓蓋を上下動させるための支持部を具備してなる回動体と、
通電により駆動可能な駆動部を有し、当該駆動部の駆動に伴い前記回動部を回動させる通電駆動機構と、
少なくとも前記回動体及び前記通電駆動機構を保持するケースとを備え、
前記配管に対し前記ケースが取付けられることで、前記底壁部の裏側において前記配管に対し直接的に取付けられるように構成されていることを特徴とする栓蓋電動ユニット。
【００３３】
上記手段１１によれば、上記手段１と同様の作用効果が奏されることとなる。
【００３４】
尚、上記手段１乃至１０に記載の技術事項を、上記手段１１に対し適用してもよい。
【図面の簡単な説明】
【００３５】
【図１】排水口を開状態としたときにおける排水栓装置の断面図である。
【図２】配管の部分拡大斜視図である。
【図３】排水口を閉状態としたときにおける排水栓装置の部分拡大断面図である。
【図４】ショックアブソーブ機能が発揮されているときの排水栓装置の断面図である。
【図５】栓蓋電動ユニットを表側から見たときの栓蓋電動ユニットの斜視図である。
【図６】栓蓋電動ユニットを裏側から見たときの栓蓋電動ユニットの斜視図である。
【図７】第二ケース構成部や第四ケース構成部を省略した状態の栓蓋電動ユニットの斜視図である。
【図８】栓蓋電動ユニットの分解斜視図である。
【図９】栓蓋電動ユニットに代えて、栓蓋手動ユニットを取付けた排水栓装置の断面図である。
【図１０】栓蓋手動ユニットの斜視図である。
【発明を実施するための形態】
【００３６】
以下に、一実施形態について図面を参照しつつ説明する。図１に示すように、排水栓装置１は、槽体としての洗面ボール１００に取付けられており、排水口部材２と、配管３と、栓蓋電動ユニット４と、栓蓋ユニット５とを備えている。
【００３７】
尚、洗面ボール１００は、その底面を構成する底壁部１０１を備えており、当該底壁部１０１には、下方に向けて垂下する垂下部１０２と、当該垂下部１０２の下部から内向きに突出する内鍔部１０３とが設けられている。垂下部１０２は、上側に向けて徐々に内径が拡大する筒状をなしている。また、内鍔部１０３の内側に、排水口１０４が形成されている。さらに、底壁部１０１の外周には、図示しない周壁部が立設されており、当該周壁部には、水の溢れ出しを防止するための図示しないオーバーフロー口が貫通形成されている。
【００３８】
排水口部材２は、円筒状に形成されており、自身の中心軸と排水口１０４の中心軸とがほぼ一致した状態で排水口１０４に挿設されている。排水口部材２は、その上端部において径方向外側に突出形成された鍔部２１と、当該鍔部２１よりも下方の外周に形成された雄ねじ部２２とを備えている。
【００３９】
配管３は、鉛直方向に沿って延びる円筒状の本体管３１と、当該本体管３１から枝分かれした状態で延びる、それぞれ筒状の取付管３２及び接続管３３とを備えている。
【００４０】
本体管３１は、排水口１０４に対応して設けられ、排水口１０４等を通って流れる排水の流路を構成する部位である。本体管３１は、その一端部（上端部）内周に前記雄ねじ部２２を螺合可能な雌ねじ部３１Ａを備えている。そして、鍔部２１を内鍔部１０３上に配置した状態で、雄ねじ部２２を雌ねじ部３１Ａに螺合し、鍔部２１及び配管３の上端面により内鍔部１０３を挟み込むことで、排水口部材２及び配管３が接続されるとともに、両者が洗面ボール１００に取付けられた状態となっている。
【００４１】
また、本実施形態において、洗面ボール１００（内鍔部１０３）と排水口部材２（鍔部２１）との間、及び、配管３の上端面と洗面ボール１００との間には、それぞれ弾性変形可能な材料（例えば、樹脂やゴム等）により形成された環状のシール部材６，７が介在されている。これらシール部材６，７により、排水口部材２及び配管３と洗面ボール１００との間からの漏水防止が図られている。
【００４２】
取付管３２は、栓蓋電動ユニット４が取付けられる部位である。取付管３２は、図２に示すように、本体管３１の外周から水平方向に突出形成され、自身の内部空間が本体管３１の内部空間に連通した円筒状の被挿通部３２Ａと、当該被挿通部３２Ａの端部から外側に突出形成された被取付鍔部３２Ｂとを備えている。
【００４３】
被取付鍔部３２Ｂには、その板厚方向に貫通する被係止用孔部３２Ｃが形成されている。被係止用孔部３２Ｃは、被取付鍔部３２Ｂの周方向に沿って延びる湾曲形状をなしており、前記周方向に沿って間隔をあけて複数（本実施形態では、３つ）設けられている。各被係止用孔部３２Ｃの前記周方向に沿った一方側は、後述する係止部４３１Ｃの先端部（後述する爪部４３１Ｄの存在する部位）が通過可能な大きさ（幅）となっている。これに対し、各被係止用孔部３２Ｃの前記周方向に沿った他方側は、前記係止部４３１Ｃの先端部が通過不能である一方、係止部４３１Ｃの基端部が通過可能な大きさ（幅）となっている。
【００４４】
また、被取付鍔部３２Ｂにおける本体管３１とは反対側の端面には、それぞれ窪み状をなす回転規制用凹部３２Ｄ及び取付時用凹部３２Ｅが形成されている。両凹部３２Ｄ，３２Ｅ間には、非対称壁部３２Ｆが設けられている。非対称壁部３２Ｆは、取付時用凹部３２Ｅ側に位置する面が被取付鍔部３２Ｂの周方向に対し傾斜する傾斜面とされる一方、回転規制用凹部３２Ｄ側に位置する面が前記周方向に対しほぼ直角の直角面とされている。
【００４５】
図１に戻り、接続管３３は、前記オーバーフロー口に流入した排水を流すための図示しない連結管が接続される部位である。接続管３３は、本体管３１の外周から斜め上向きに向けて突出形成され、自身の内部空間が本体管３１の内部空間に連通している。そして、前記オーバーフロー口に流入した排水は、前記連結管及び接続管３３を通って、本体管３１内へと案内されるようになっている。
【００４６】
栓蓋電動ユニット４は、電動により栓蓋ユニット５を上下動させるための機構である。栓蓋電動ユニット４は、回動可能な回動部４１１と、当該回動部４１１の回動に伴い上下動可能な支持部４１２とを具備してなる回動体４１を備えている。栓蓋電動ユニット４は、支持部４１２が本体管３１内に配置された状態で、取付管３２に対し取付けられている。支持部４１２は、比較的短いものとされており、その先端が配管３（本体管３１）の中心軸に到達しないように構成されている。栓蓋電動ユニット４の詳細については後に説明する。
【００４７】
栓蓋ユニット５は、排水口１０４の開閉などを行うために、排水の流路に対応して設けられるものである。栓蓋ユニット５は、支持部材５１、支持軸５２、アブソーバスプリング５３、ヘアキャッチャー５４及び栓蓋５５を有している。
【００４８】
支持部材５１は、本体管３１内において本体管３１の内周面に沿って上下動可能な状態で配置されている。支持部材５１は、本体管３１の中心軸側に配置される筒状部５１１と、当該筒状部５１１の外側に設けられた被支持部５１２とを備えている。
【００４９】
筒状部５１１は、アブソーバスプリング５３を介して、自身の内周に挿通された支持軸５２を支持する部位である。
【００５０】
被支持部５１２は、支持部４１２によって支持される部位であり、本体管３１の内周面に近接した状態で配置される環状部分と、筒状部５１１及び前記環状部分を連結するアーム部分とを備えている。被支持部５１２は、前記環状部分の下面が支持部４１２に載置されることで、支持部４１２によって支持されるようになっている。前記アーム部分は、筒状部５１１の周方向に沿って間隔をあけた状態で複数設けられており、隣接する各アーム部分間の隙間を通って排水が流れるようになっている。
【００５１】
支持軸５２は、棒状をなしており、その上端部が栓蓋５５の背面中央部分に設けられた円筒状の被取付筒部５５Ｃに嵌合されることで、栓蓋５５へと取付けられており、栓蓋５５を支持している。本実施形態において、支持軸５２の上端側外周の溝状部分にはＣリング８が設けられており、当該Ｃリング８が被取付筒部５５Ｃの内周に設けられた窪み部分に配置されることで、支持軸５２に対し栓蓋５５が取付けられた状態となっている。
【００５２】
アブソーバスプリング５３は、所定の金属線が螺旋状に巻回されてなり、筒状部５１１の内周面と支持軸５２の外周面との間に設けられている。アブソーバスプリング５３は、支持軸５２及び筒状部５１１により支持軸５２の軸方向に沿って挟み込まれた状態とされており、支持部４１２から栓蓋５５に対する駆動力の伝達経路に設けられている。また、アブソーバスプリング５３は、支持軸５２の軸方向に沿って弾性変形可能とされている。
【００５３】
ヘアキャッチャー５４は、垂下部１０２の内側に配置されており、排水に含まれるごみや毛髪等の異物を捕集するためのものである。ヘアキャッチャー５４は、自身の外縁部分が垂下部１０２のテーパ部分へと載置されることで、垂下部１０２により支持されている。また、ヘアキャッチャー５４の中心には筒状部分が設けられており、当該筒状部分に対し支持軸５２が相対移動可能な状態で挿通されている。そのため、ヘアキャッチャー５４は、支持軸５２が上下動した場合であっても、その配置位置が変動することはない。
【００５４】
栓蓋５５は、排水口１０４を開閉するためのものであり、支持部材５１及び支持軸５２を介して、支持部４１２により間接的に支持されている。栓蓋５５は、樹脂等からなる円板状の栓蓋本体部５５Ａと、当該栓蓋本体部５５Ａに取付けられたパッキン部５５Ｂとを備えている。パッキン部５５Ｂは、弾性変形可能な材料（例えば、ゴムや樹脂等）によって環状に形成されており、栓蓋本体部５５Ａの背面の外周側に設けられた、外側に開口する凹部に対し嵌め込まれた状態とされている。
【００５５】
本実施形態では、回動部４１１が一方側へと回動し支持部４１２が下動することで、支持軸５２及び栓蓋５５が下動する。そして、パッキン部５５Ｂの外周部分全域が底壁部１０１（垂下部１０２）における所定の被シール部位に接触することで、排水口１０４が閉状態とされる（図３参照）。一方、回動部４１１が他方側へと回動し支持部４１２が上動することで、当該支持部４１２によって支持部材５１の被支持部５１２が持ち上げられ、ひいては支持軸５２及び栓蓋５５が上動する。その結果、パッキン部５５Ｂが底壁部１０１から離間することで、排水口１０４が開状態とされる（図１参照）。
【００５６】
尚、本実施形態では、排水口１０４が閉状態とされ、支持部４１２が最も下方に配置されたときに、支持部４１２から支持部材５１（被支持部５１２の前記環状部分）が浮いた状態となる。そのため、排水口１０４を閉状態としたときに、底壁部１０１へとパッキン部５５Ｂをより確実に接触させることができ、良好な水密性を得ることができる。
【００５７】
また、排水口１０４が開状態である場合において、例えば、栓蓋５５に重量物を載置したときなど、栓蓋５５に対し下方に向けた力が加わったときには、アブソーバスプリング５３が圧縮変形する（図４参照）。これにより、支持軸５２や支持部４１２などの各種部品に対する負荷を吸収する機能、つまり、ショックアブソーブ機能が発揮され、前記各種部品の破損や変形をより確実に防止することが可能となっている。
【００５８】
さらに、本実施形態では、洗面ボール１００の表側から上方に向けて栓蓋５５や支持軸５２を引上げることで、栓蓋ユニット５を、垂下部１０２、排水口部材２及び本体管３１からなる筒状部分、すなわち、排水の流路を構成する筒状部分から引抜可能となっている。そして、栓蓋ユニット５を引抜いた状態では、排水の流路を構成する筒状部分の内部において、支持部４１２のみが僅かに突出した状態となる。そのため、メンテナンス性や清掃性の向上を図ることが可能となっている。
【００５９】
次いで、栓蓋電動ユニット４について説明する。栓蓋電動ユニット４は、図５〜８に示すように、上述した回動体４１に加え、外周配置部品群４２、ケース４３、受け部材４４、減速歯車部としての減速歯車群４５、変位部材４６、通電駆動機構としてのモータ４７、並びに、それぞれ開閉状態検知センサに相当する第一磁気センサ４８Ａ及び第二磁気センサ４８Ｂを備えている。
【００６０】
回動体４１は、上述の通り、回動部４１１及び支持部４１２を備えている。回動部４１１は、流路側円板部４１１Ａ、中間部４１１Ｂ及びピニオン４１１Ｃを備えており、これらがこの順序で同軸状に並ぶ構成とされている。
【００６１】
流路側円板部４１１Ａは、回動部４１１の一端部に設けられ、栓蓋電動ユニット４を取付管３２へと取付けた状態において、本体管３１の内部空間側、すなわち、排水の流路側を向くようにして配置される部位である。流路側円板部４１１Ａは、円板状をなしており、その最大外径が被挿通部３２Ａの内径よりも若干だけ小さい程度とされている。
【００６２】
中間部４１１Ｂは、流路側円板部４１１Ａよりも小径の柱状をなしている。中間部４１１Ｂにおける流路側円板部４１１Ａ側に位置する基部の外周には、所定の弾性変形可能な材料（例えば、ゴムや樹脂等）により形成された環状の内側パッキン４１１Ｄが嵌め込まれている。一方、中間部４１１Ｂにおける内側パッキン４１１Ｄよりもピニオン４１１Ｃ側の外周には、複数の窪みが形成されている。この窪みによって、中間部４１１Ｂとこの外周に配置される外周配置部品群４２（特に後述する介在円筒部４２１）との間で生じる摩擦抵抗を軽減することができ、ひいては回動部４１１の円滑な回動を図ることが可能となっている。
【００６３】
また、中間部４１１Ｂの内側には、後述する第二軸部４９２の一端部が配置される窪み状の受け部（図示せず）が設けられている。尚、受け部をピニオン４１１Ｃの内側などに設けてもよい。
【００６４】
ピニオン４１１Ｃは、減速歯車群４５を介して伝達されるモータ４７からの駆動力などを受ける部位である。ピニオン４１１Ｃは、回動部４１１の他端部に設けられており、回動部４１１の外周に設けられた複数の歯によって構成されている。ピニオン４１１Ｃの外径は、中間部４１１Ｂの外径とほぼ同一とされている。
【００６５】
支持部４１２は、上記の通り、栓蓋電動ユニット４が取付管３２へと取付けられた状態において、配管３（本体管３１）の内部空間に配置される。支持部４１２は、流路側円板部４１１Ａにおける一端面（排水の流路側に位置する面）の外周寄りから突出しており、回動部４１１の回動に伴い上下動する。
【００６６】
外周配置部品群４２は、中間部４１１Ｂの外周に配置される複数の部品により構成されており、介在円筒部４２１、外側パッキン４２２及びＣリング４２３を備えている。
【００６７】
介在円筒部４２１は、外周に環状の溝を備えた円筒状をなしており、中間部４１１Ｂの外周に配置されている。介在円筒部４２１は、栓蓋電動ユニット４を取付管３２へと取付けた状態において、中間部４１１Ｂと被挿通部３２Ａとの間に介在した状態となる。また、介在円筒部４２１の外周面と中間部４１１Ｂの内周面とによって内側パッキン４１１Ｄが挟み込まれた状態とされており、中間部４１１Ｂ及び介在円筒部４２１間を通ったケース４３内への水の浸入抑制が図られている。
【００６８】
外側パッキン４２２は、所定の弾性変形可能な材料（例えば、ゴムや樹脂等）により形成された環状部材であり、介在円筒部４２１の外周に形成された前記溝に配置されている。外側パッキン４２２は、栓蓋電動ユニット４を取付管３２へと取付けた状態において、介在円筒部４２１の外周面と被挿通部３２Ａの内周面とで挟み込まれた状態となる。これにより、被挿通部３２Ａ及び介在円筒部４２１間を通ったケース４３内への水の浸入抑制が図られている。
【００６９】
尚、介在円筒部４２１は、栓蓋電動ユニット４が取付管３２へと取付けられた状態において、被挿通部３２Ａに対し積極的に相対回動することはなく、基本的には外側パッキン４２２によって固定された状態となる。ここで、仮に中間部４１１Ｂを大径とし、回動体４１が回動する際に、中間部４１１Ｂ及び被挿通部３２Ａ間で摩擦抵抗が生じるように構成した場合には、中間部４１１Ｂの回動半径が大きい分、生じる摩擦抵抗が大きなものとなってしまう。これに対し、本実施形態では、回動体４１が回動する際には、介在円筒部４２１の内周において中間部４１１Ｂが回動するため、中間部４１１Ｂの回動半径が小さい分、生じる摩擦抵抗を小さなものとすることができる。すなわち、介在円筒部４２１は、回動体４１の回動時における摩擦抵抗を軽減するために設けられている。また、外側パッキン４２２は、水密性の確保という点に加え、被挿通部３２Ａに対する介在円筒部４２１の相対回動を規制するという点でも機能する。
【００７０】
Ｃリング４２３は、一部が途切れた円環状をなす薄肉の板状部材である。Ｃリング４２３は、流路側円板部４１１Ａとの間で介在円筒部４２１を挟んだ状態で、中間部４１１Ｂにおけるピニオン４１１Ｃ側に設けられた溝に嵌め込まれており、中間部４１１Ｂからの介在円筒部４２１の脱落を防止する。また、Ｃリング４２３の外周部分は、介在円筒部４２１の外周よりも突出した状態となっており、ケース４３内においてケース４３へと引っ掛かった状態となっている（図１等参照）。これにより、ケース４３から流路側円板部４１１Ａや介在円筒部４２１等を突出させつつ、ケース４３からの回動体４１や介在円筒部４２１の脱落が防止されている。
【００７１】
ケース４３は、回動体４１や減速歯車群４５、モータ４７などを保持するとともに、栓蓋電動ユニット４を取付管３２へと取付ける際に取付部として機能するものである。ケース４３は、第一ケース構成部４３１、第二ケース構成部４３２、第三ケース構成部４３３及び第四ケース構成部４３４が組立てられることで形成されている。尚、図７では、第二ケース構成部４３２及び第四ケース構成部４３４の図示を省略している。
【００７２】
第一ケース構成部４３１は、回動体４１や変位部材４６などを保持しつつ、取付管３２への取付部として機能する部位である。第一ケース構成部４３１は、第一基部４３１Ａ及び第一収容壁部４３１Ｂを備えている。
【００７３】
第一基部４３１Ａは、円板状部位と当該円板状部位の周方向に対する接線方向に沿って突出する突出部位とを備えた平板状部位である。第一収容壁部４３１Ｂは、第一基部４３１Ａに対し立設された平板状や湾曲板状などをなす複数の壁により構成されている。第一基部４３１Ａ及び第一収容壁部４３１Ｂにより区画された第一ケース構成部４３１内の空間は、Ｃリング４２３やピニオン４１１Ｃ、変位部材４６等の収容空間を構成している。
【００７４】
また、第一基部４３１Ａにおける前記突出部位と、当該突出部位に対応して設けられた第一収容壁部４３１Ｂとによって、筒状のチューブ部材（図示せず）の先端部に設けられた鍔状のフレア部分を収容するためのチューブ接続部４３１Ｇが形成されている。チューブ接続部４３１Ｇは、ケース４３を、栓蓋５５を手動操作するためのユニットの構成部品として利用する場合に用いられるものであり、本実施形態では、チューブ接続部４３１Ｇに対しチューブ部材は収容されていない。従って、必ずしもチューブ接続部４３１Ｇを設ける必要はない。
【００７５】
さらに、第一基部４３１Ａにおける円板状部位の中心部には、介在円筒部４２１の外径とほぼ同一の内径の貫通孔が形成されている。そして、当該貫通孔を通って介在円筒部４２１や外側パッキン４２２、流路側円板部４１１Ａ、支持部４１２がケース４３の外部に突出した状態となっている。尚、第一基部４３１Ａにおける前記貫通孔を形成する部位には、円環状の段部が設けられており、当該段部に対し前記Ｃリング４２３が係止された状態となっている。
【００７６】
加えて、第一基部４３１Ａにおける第一収容壁部４３１Ｂとは反対側に位置する面には、係止部４３１Ｃが突出形成されている。係止部４３１Ｃは、取付管３２に対する栓蓋電動ユニット４の取付に用いられる部位であり、第一基部４３１Ａにおける円板状部位の周方向に沿って等間隔に複数（本実施形態では、３つ）設けられている。また、各係止部４３１Ｃの先端部には、外側（回動体４１の回動軸とは反対側）に向けて突出する爪部４３１Ｄが設けられている。
【００７７】
さらに、第一基部４３１Ａにおける円板状部位には、Ｌ字状をなし前記円板状部位の外周に開口する切欠部４３１Ｅが形成されている。切欠部４３１Ｅの存在によって、第一基部４３１Ａにおける円板状部位の一部は、第一基部４３１Ａに対する係止部４３１Ｃの突出方向に沿って弾性変形可能となっている。そして、この弾性変形可能な部位に対応して、第一基部４３１Ａに対する係止部４３１Ｃの突出方向と同じ方向に向けて突出する回転規制用凸部４３１Ｆが設けられている。回転規制用凸部４３１Ｆは、回転規制用凹部３２Ｄに配置されることで、取付管３２に対する栓蓋電動ユニット４の相対回転を規制するものである。
【００７８】
第二ケース構成部４３２は、第一ケース構成部４３１へと取付けられることで、両ケース構成部４３１，４３２の内部に受け部材４４や減速歯車群４５、変位部材４６等の収容空間を形成しつつ、モータ４７やセンサ４８Ａ，４８Ｂの収容空間を構成するものである。第二ケース構成部４３２は、第二基部４３２Ａ、第二収容壁部４３２Ｂ、歯車収容壁部４３２Ｃ、モータ収容壁部４３２Ｄ及びセンサ収容壁部４３２Ｅを備えている。
【００７９】
第二基部４３２Ａは、第一基部４３１Ａに対応する形状をなしており、第二収容壁部４３２Ｂは、第二基部４３２Ａから突出し、第一収容壁部４３１Ｂに対応する形状の壁により構成されている。
【００８０】
歯車収容壁部４３２Ｃは、減速歯車群４５を収容する空間を形成するものである。歯車収容壁部４３２Ｃは、外観上、第二基部４３２Ａから突出し、先端部の閉塞された２つの円筒状部位が平行な状態で一体化された形状をなしている。歯車収容壁部４３２Ｃの内部には、後述する歯車４５１〜４５４を噛合可能とすべく、２つの円柱状の空間が連通した状態で設けられている。一方の円柱状の空間は、それぞれ後述する第一歯車４５１及び第三歯車４５３に対応して設けられ、他方の円柱状の空間は、それぞれ後述する第二歯車４５２及び第四歯車４５４に対応して設けられている。
【００８１】
また、歯車収容壁部４３２Ｃは、一方の円筒状部位における先端側の閉塞部分の裏側（減速歯車群４５等の収容空間側）に、後述する第一軸部４９１の他端部が配置される窪み状の受け部（図示せず）を備えている。さらに、歯車収容壁部４３２Ｃは、他方の円筒状部位における先端側の閉塞部分の裏側に、後述する第二軸部４９２の他端部が配置される窪み状の受け部（図示せず）を備えている。
【００８２】
本実施形態において、第一ケース構成部４３１及び第二ケース構成部４３２は、スナップフィット（材料の弾性変形を用いた手法）を利用して、両基部４３１Ａ，４３２Ｂが相対向し、かつ、第一収容壁部４３１Ｂの内側に第二収容壁部４３２Ｂが嵌り込んだ状態で組立てられている。両ケース構成部４３１，４３２が組立てられることで、両ケース構成部４３１，４３２内において、Ｃリング４２３、受け部材４４、減速歯車群４５及び変位部材４６などが安定した状態で保持されている。
【００８３】
モータ収容壁部４３２Ｄは、モータ４７を収容する空間を形成するものである。モータ収容壁部４３２Ｄは、歯車収容壁部４３２Ｃにおける一方の円筒状部位に連なるようにして設けられている。モータ収容壁部４３２Ｄ内に設けられたモータ４７を収容するための空間は、それぞれ後述する第一歯車４５１及びウォームギア４７Ｂを噛合可能とすべく、歯車収容壁部４３２Ｃの内部空間と連通した状態となっている。
【００８４】
センサ収容壁部４３２Ｅは、第一磁気センサ４８Ａ及び第二磁気センサ４８Ｂを収容するためのものである。センサ収容壁部４３２Ｅは、変位部材４６の収容空間との間で第二収容壁部４３２Ｂを挟む位置に設けられている。センサ収容壁部４３２Ｅにより形成されたセンサ４８Ａ，４８Ｂの収容空間は、変位部材４６の後述する往復移動方向に沿って延びる状態となっている。
【００８５】
第三ケース構成部４３３は、第二ケース構成部４３２へと取付けられ、センサ収容壁部４３２Ｅにより形成された第一磁気センサ４８Ａ及び第二磁気センサ４８Ｂの収容空間に蓋をするためのものである。第三ケース構成部４３３は、スナップフィットを利用して、第二ケース構成部４３２（センサ収容壁部４３２Ｅ）に対し取付けられている。
【００８６】
第四ケース構成部４３４は、第二ケース構成部４３２へと取付けられることで、モータ収容壁部４３２Ｄにより形成されたモータ４７の収容空間に蓋をしつつ、モータ４７を保持するためのものである。第四ケース構成部４３４は、スナップフィットを利用して、第二ケース構成部４３２（モータ収容壁部４３２Ｄ）に取付けられている。
【００８７】
尚、本実施形態では、配管３（取付管３２）に対し栓蓋電動ユニット４が取付けられた状態を維持しつつ、第三ケース構成部４３３のみを取外すことで、第一磁気センサ４８Ａ及び第二磁気センサ４８Ｂの交換を行うことが可能である。また、配管３（取付管３２）に対し栓蓋電動ユニット４が取付けられた状態を維持しつつ、第四ケース構成部４３４のみを取外すことで、モータ４７の交換を行うことが可能である。従って、センサ４８Ａ，４８Ｂやモータ４７のメンテナンスを容易に行うことができるようになっている。
【００８８】
受け部材４４は、後述する第一軸部４９１の一端部を受けて支持するための部位である。受け部材４４は、中心に半円状の孔が形成された半円板状をなしており、第一軸部４９１の一端部が配置される窪み状の受け部４４Ａを備えている。受け部材４４は、第一ケース構成部４３１及び第二ケース構成部４３２の組立に伴い両ケース構成部４３１，４３２で挟み込まれることにより、両ケース構成部４３１，４３２で構成された収容空間にて移動不能な状態で保持されている。
【００８９】
減速歯車群４５は、モータ４７の後述する駆動部４７Ａで生じた駆動力を回動部４１１に対し、回転数を減じつつ伝達するものである。本実施形態において、減速歯車群４５は、それぞれ２段歯車（歯数の異なる２つの歯車が、歯車の回転軸方向に沿って並ぶようにして配置されたもの）によって構成された、それぞれ歯車としての第一歯車４５１、第二歯車４５２、第三歯車４５３及び第四歯車４５４を備えている。
【００９０】
第一歯車４５１及び第三歯車４５３は、同軸状に配置されており、棒状の第一軸部４９１によって自由回転可能な状態で支持されている。尚、第一軸部４９１は、受け部材４４に設けられた受け部４４Ａと、歯車収容壁部４３２Ｃにおける一方の円筒状部位に設けられた前記受け部とによって支持されている。
【００９１】
第二歯車４５２及び第四歯車４５４は、同軸状に配置されており、棒状の第二軸部４９２（図７参照。図８では不図示）によって自由回転可能な状態で支持されている。尚、第二軸部４９２は、中間部４１１Ｂの内側に設けられた前記受け部と、歯車収容壁部４３２Ｃにおける他方の円筒状部位に設けられた前記受け部とによって支持されている。
【００９２】
第一歯車４５１は、その大きい側の歯車が後述するウォームギア４７Ｂに噛合され、その小さい側の歯車が第二歯車４５２における大きい側の歯車に噛合されている。第二歯車４５２、第三歯車４５３及び第四歯車４５４においては、この順序で駆動力が伝達されるように各歯車が噛合されているが、駆動力は、それぞれ小さい側の歯車から大きい側の歯車へと伝達されるようになっている。例えば、第二歯車４５２における小さい側の歯車から、この歯車に噛合された、第三歯車４５３における大きい側の歯車に対し駆動力が伝達される。そして、第四歯車４５４は、その小さい側の歯車が回動部４１１におけるピニオン４１１Ｃの形成された部位の内周に嵌合されており、第四歯車４５４の回動に伴い回動部４１１が回動するようになっている。すなわち、本実施形態では、後述する駆動部４７Ａにて生じた駆動力が、回動部４１１に対し、歯車４５１〜４５４のみを介して伝達されるように構成されている。
【００９３】
変位部材４６は、回動部４１１の角度に応じて、その配置位置が変動するように構成された部材である。変位部材４６は、第一ケース構成部４３１及び第二ケース構成部４３２内に設けられた収容空間にて上下方向に沿って変位可能（往復移動可能）な状態で配置されている。変位部材４６の側面には、当該変位部材４６の移動方向に沿って複数の歯４６Ａが平行に並んだ状態で設けられている。そして、これら歯４６Ａがピニオン４１１Ｃに対し直接的に噛合された状態となっている。すなわち、変位部材４６は、ピニオン４１１Ｃに対し直接的に噛合された複数の歯４６Ａを備えてなるラックである。そして、回動部４１１が回動することで、変位部材４６が変位するようになっている。
【００９４】
加えて、変位部材４６には、円柱状の磁石４６Ｂが取付けられている。磁石４６Ｂは、変位部材４６の変位に合わせてその位置が変化するようになっている。
【００９５】
モータ４７は、電動により排水口１０４を開閉するための駆動源である。モータ４７は、回転可能な棒状の駆動部４７Ａ（図８参照）を備えるとともに、それぞれ図示しない所定の電源及び所定の制御手段（例えば、マイコン等からなる）に対し電気的に接続されている。モータ４７は、前記電源からの給電により、駆動部４７Ａを双方向に回転可能とされている。
【００９６】
また、駆動部４７Ａには、ウォームギア４７Ｂが固定されており、上記の通り、ウォームギア４７Ｂは、第一歯車４５１における大きい側の歯車に噛合されている。すなわち、駆動部４７Ａから回動部４１１に対する動力の伝達機構は、駆動部４７Ａの回転に伴い回転するウォームギア４７Ｂと、これに噛合された第一歯車４５１とを備えている。
【００９７】
さらに、本実施形態では、回動部４１１の回動軸を含み、かつ、駆動部４７Ａの回動軸と平行な面に対し、当該面と直交する方向に駆動部４７Ａの回動軸を投影したとき、当該面において、回動部４１１の回動軸に対し、駆動部４７Ａの回動軸を投影してなる直線が直交した状態となるように構成されている。
【００９８】
第一磁気センサ４８Ａ及び第二磁気センサ４８Ｂは、それぞれ磁石４６Ｂで生じている磁気を検知するためのセンサであり、例えば、ホール素子などを有している。第一磁気センサ４８Ａ及び第二磁気センサ４８Ｂは、変位部材４６の往復移動方向に沿って離間した状態で、センサ収容壁部４３２Ｅに固定されている。両センサ４８Ａ，４８Ｂは、それぞれ前記制御手段に接続されており、磁石４６Ｂで生じている磁気を検知することで、変位部材４６の位置ひいては排水口１０４の開閉状態を検知する。
【００９９】
本実施形態では、排水口１０４が開状態であるときに、第一磁気センサ４８Ａによって磁石４６Ｂの磁気が検知され、第一磁気センサ４８Ａから所定の磁気検出信号が前記制御手段へと出力される。一方、排水口１０４が閉状態であるときには、第二磁気センサ４８Ｂによって磁石４６Ｂの磁気が検知され、第二磁気センサ４８Ｂから磁気検出信号が前記制御手段へと出力される。
【０１００】
尚、前記制御手段は、図示しない表示手段（例えば、液晶画面など）や入力手段（例えば、ボタンなど）を備えてなる所定の操作パネル（図示せず）と電気的に接続されている。前記制御手段は、第一磁気センサ４８Ａから磁気検出信号が入力されると、前記表示手段において、排水口１０４が開状態である旨の情報を表示させる。一方、前記制御手段は、第二磁気センサ４８Ｂから磁気検出信号が入力されると、前記表示手段において、排水口１０４が閉状態である旨の情報を表示させる。
【０１０１】
さらに、前記制御手段は、前記入力手段に対し、排水口１０４を閉状態とする旨の情報が入力されると、センサ４８Ａ，４８Ｂからの出力に基づき、排水口１０４が開状態であるか否かを確認する。そして、前記制御手段は、排水口１０４が開状態であるときには、前記電源からモータ４７に対し駆動部４７Ａを一方側に回動させるための電力を供給させる。そして、前記制御手段は、モータ４７への給電開始後、第二磁気センサ４８Ｂから磁気検出信号が入力され、排水口１０４が閉状態に切替わったことを把握すると、前記電源からモータ４７に対する給電を停止させ、モータ４７の動作を停止させる。一方、前記制御手段は、前記入力手段に対し排水口１０４を閉状態とする旨の情報が入力されたときに、排水口１０４が閉状態である場合、前記電源からモータ４７に対し電力を供給させない。
【０１０２】
また、前記制御手段は、前記入力手段に対し、排水口１０４を開状態とする旨の情報が入力されると、両センサ４８Ａ，４８Ｂからの出力に基づき、排水口１０４が閉状態であるか否かを確認する。そして、前記制御手段は、排水口１０４が閉状態であるときには、前記電源からモータ４７に対し駆動部４７Ａを他方側に回動させるための電力を供給させる。そして、前記制御手段は、モータ４７への給電開始後、第一磁気センサ４８Ａから磁気検出信号が入力され、排水口１０４が開状態に切替わったことを把握すると、前記電源からモータ４７に対する給電を停止させ、モータ４７の動作を停止させる。一方、前記制御手段は、前記入力手段に対し排水口１０４を開状態とする旨の情報が入力されたときに、排水口１０４が開状態である場合、前記電源からモータ４７に対し電力を供給させない。
【０１０３】
上記のように構成された排水栓装置１では、排水口１０４が開状態であるときに、前記入力手段へと排水口１０４を閉状態とする旨の情報が入力されると、前記制御手段によって前記電源からモータ４７に対し電力が供給され、駆動部４７Ａが一方側に回動する。これにより、駆動部４７Ａの駆動力が歯車４５１〜４５４を介して回動部４１１へと伝達される。そして、回動部４１１が一方側へと回動することに伴い支持部４１２が下動し、その結果、電動により栓蓋５５が下動し、排水口１０４が閉状態とされる。また、変位部材４６が移動することで、第二磁気センサ４８Ｂから磁気検出信号が出力され、前記制御手段は、排水口１０４が閉状態であることを把握する。そして、前記制御手段は、前記電源からモータ４７に対する電力供給を停止する。
【０１０４】
一方、排水口１０４が閉状態であるときに、前記入力手段に対し排水口１０４を開状態とする旨の情報が入力されると、前記制御手段によって前記電源からモータ４７に対し電力が供給され、駆動部４７Ａが他方側に回動する。これにより、駆動部４７Ａの駆動力が歯車４５１〜４５４を介して回動部４１１へと伝達される。そして、回動部４１１が他方側へと回動することに伴い支持部４１２が上動し、その結果、電動により栓蓋５５が上動し、排水口１０４が開状態とされる。また、変位部材４６が移動することで、第一磁気センサ４８Ａから磁気検出信号が出力され、前記制御手段は、排水口１０４が開状態であることを把握する。そして、前記制御手段は、前記電源からモータ４７に対する電力供給を停止する。
【０１０５】
さらに、上記のように構成された栓蓋電動ユニット４は、取付管３２に対しケース４３が取付けられることで、底壁部１０１の裏側（洗面ボール１００における貯水空間とは反対側）において、配管３に対し直接的に取付けられるようになっている。配管３に対する栓蓋電動ユニット４の取付は、次のようにして行うことができる。
【０１０６】
すなわち、ケース４３から突出した状態にある流路側円板部４１１Ａや介在円筒部４２１等を被挿通部３２Ａへと挿通しつつ、各被係止用孔部３２Ｃにおける孔が比較的大きな箇所（係止部４３１Ｃにおける爪部４３１Ｄの存在部位が通過可能に構成された箇所）に対し係止部４３１Ｃを挿通する。さらに、第一基部４３１Ａにおける介在円筒部４２１の周囲に位置する環状部位を被取付鍔部３２Ｂ側へと押圧する。
【０１０７】
このとき、配管３に対する栓蓋電動ユニット４の取付管３２の周方向に沿った取付向きが正しければ、回転規制用凸部４３１Ｆは、取付時用凹部３２Ｅに収容された状態となり、また、前記環状部位と被取付鍔部３２Ｂとが面接触する。面接触した状態になると、爪部４３１Ｄは、被係止用孔部３２Ｃを通過した状態となる。
【０１０８】
一方、配管３に対する栓蓋電動ユニット４の取付向きが誤っていると、回転規制部４３１Ｆの存在により前記環状部位と被取付鍔部３２Ｂとは面接触せず、また、爪部４３１Ｄが被係止用孔部３２Ｃに留まった状態となる。この状態では、被挿通部３２Ａに対し栓蓋電動ユニット４（ケース４３）を相対回動させることはできないため、取付作業者は、取付向きが誤っていることを把握することができる。
【０１０９】
さて、配管３に対する栓蓋電動ユニット４の取付向きが正しく、前記環状部位と被取付鍔部３２Ｂとが面接触した状態となった後には、被挿通部３２Ａに対し栓蓋電動ユニット４（ケース４３）を相対回動させることで、各被係止用孔部３２Ｃにおける孔が比較的小さな箇所（係止部４３１Ｃの先端部が通過不能である一方、係止部４３１Ｃの基端部が通過可能に構成された箇所）へと係止部４３１Ｃを移動させていく。このとき、回転規制用凸部４３１Ｆが非対称壁部３２Ｆの傾斜面と接触することで、第一基部４３１Ａにおける回転規制用凸部４３１Ｆの形成された部位が容易に弾性変形していく。そして、ケース４３の相対回転が進んで回転規制用凸部４３１Ｆが回転規制用凹部３２Ｄへと到達し、第一基部４３１Ａの弾性変形が解除されると、回転規制用凹部３２Ｄに対し回転規制用凸部４３１Ｆが配置されるとともに、爪部４３１Ｄが被取付鍔部３２Ｂにおける被係止用孔部３２Ｃを形成する部位へと係止された状態となる。その結果、取付管３２に対する栓蓋電動ユニット４の相対回転が規制された状態で、配管３（取付管３２）に対し栓蓋電動ユニット４が取付けられることになる。
【０１１０】
本実施形態では、上記の通り、非対称壁部３２Ｆのうち回転規制用凹部３２Ｄ側に位置する面は直角面であるため、取付管３２に対する栓蓋電動ユニット４の相対回転を効果的に規制することができ、栓蓋電動ユニット４の意図しない外れをより確実に防止可能となっている。尚、配管３（取付管３２）からの栓蓋電動ユニット４の取外しは、上記の手法とは反対の手順で行うことができる。
【０１１１】
さらに、図９に示すように、排水栓装置１は、配管３に対し、栓蓋電動ユニット４に代えて栓蓋手動ユニット９を取付可能となっている。栓蓋手動ユニット９は、栓蓋５５を専ら手動のみで動作させる場合に用いられる装置である。尚、図９では、栓蓋手動ユニット９の一部のみを模式的に示している。
【０１１２】
栓蓋手動ユニット９は、図１０に示すように、栓蓋電動ユニット４と同様、ケース９３から外部に突出する回動部９１１や回動部９１１の端面から突出する支持部９１２などを備えている。ケース９３には、筒状のチューブ部材９４が取付けられており、当該チューブ部材９４の内周に対し、ワイヤ状の伝達部材９５が往復移動可能な状態で挿通されている。伝達部材９５は、排水口１０４を手動で開閉する際に操作される、図示しない所定の操作部材（例えば、操作ボタン）の変位に伴い往復移動する。
【０１１３】
また、ケース９３の内部において、伝達部材９５の先端部は、変位部材４６とほぼ同一の構成を有する往復移動可能な部材（図示せず）へと接続されており、当該部材の側面に設けられた複数の歯（図示せず）が、回動部９１１のピニオン（図示せず）へと噛合された状態となっている。
【０１１４】
そして、前記操作部材の変位に伴い伝達部材９５が往動（前記操作部材側からケース９３側へと移動）したときには、回動部９１１が一方側へと回動する。その結果、支持部４１２が下動することで、栓蓋５５が下動し、排水口１０４が閉状態とされる。一方、前記操作部材の変位に伴い伝達部材９５が復動したときには、回動部９１１が他方側へと回動する。その結果、支持部４１２が上動することで、栓蓋５５が上動し、排水口１０４が開状態とされる。
【０１１５】
さらに、ケース９３は、栓蓋電動ユニット４におけるケース４３と同様に、爪部９３１Ｄを有する係止部９３１Ｃと、回転規制用凸部９３１Ｆとを備えている。係止部９３１Ｃ及び爪部９３１Ｄの構成は、栓蓋電動ユニット４における係止部４３１Ｃ及び爪部４３１Ｄの構成と同一であり、回転規制用凸部９３１Ｆの構成は、栓蓋電動ユニット４における回転規制用凸部４３１Ｆの構成と同一である。そして、栓蓋手動ユニット９は、配管３に対する栓蓋電動ユニット４の取付手法と同一の手法によって、配管３に対し取付可能となっている。すなわち、栓蓋電動ユニット４及び栓蓋手動ユニット９は、それぞれ共通の取付手法によって配管３へと取付可能に構成されている。尚、配管３から栓蓋手動ユニット９を取外す手法についても、配管３から栓蓋電動ユニット４を取外す手法と同一である。
【０１１６】
以上詳述したように、本実施形態によれば、モータ４７などを有する栓蓋電動ユニット４は、底壁部１０１の裏側において配管３に対し直接的に取付けられる。従って、栓蓋電動ユニット４（特にモータ４７）を栓蓋５５の近傍に設けることができ、モータ４７から栓蓋５５に対する駆動力の伝達経路を著しく短いものとすることができる。これにより、モータ４７（駆動部４７Ａ）から栓蓋５５に対して駆動力を伝達する際に、駆動力のロスをより生じにくくさせることができ、栓蓋５５をより確実に動作させることができる。その結果、排水栓装置１の動作安定性を高めることができる。
【０１１７】
さらに、駆動部４７Ａにて生じた駆動力は、回動部４１１に対し、歯車４５１〜４５４のみを介して間接的に伝達される。従って、ワイヤ状の伝達部材などを介して駆動力を伝達する場合と比較して、駆動力のロスをより生じにくくすることができる。その結果、栓蓋５５を一層確実に動作させることができ、排水栓装置１の動作安定性をより向上させることができる。
【０１１８】
また、少なくとも排水口１０４が開状態である場合において栓蓋５５に対し下方に向けた力が加わったときに、アブソーバスプリング５３が圧縮変形する。従って、栓蓋５５に対し下方に向けた大きな力が加わった場合に、支持部４１２や回動部４１１などに対し過大な負荷が加わってしまうことを防止できる。その結果、支持部４１２等における変形や破損をより確実に防止することができる。また、支持部材５１（被支持部５１２）が、支持部４１２から外れて脱落してしまうといった事態をより確実に防止でき、排水栓装置１の動作安定性をより向上させることができる。尚、本実施形態では、減速歯車群４５の存在により、栓蓋５５に対し下方に向けた大きな力が加わったときに、モータ４７に対し過大な負荷が加わるといった事態は生じにくい。
【０１１９】
さらに、本実施形態では、回動部４１１の回動軸に対し、駆動部４７Ａの回動軸を投影してなる直線が直交するように構成されている。従って、両回動軸が平行に延びるような構成と比べて、回動部４１１の回動軸方向に沿った栓蓋電動ユニット４のサイズをより小さなものに抑えることができ、また、栓蓋電動ユニット４のまとまりを非常に良いものとすることができる。これにより、栓蓋電動ユニット４の取扱いが容易になるとともに、取付後において栓蓋電動ユニット４が邪魔となりにくくなる。そのため、作業性や利便性を高めることができる。また、底壁部１０１の裏側スペース（設置スペース）が比較的小さい場合であっても栓蓋電動ユニット４を設けることが可能となり、設置自由度の向上を図ることができる。
【０１２０】
加えて、変位部材４６はケース４３内に設けられているため、回動部４１１及び変位部材４６を近接した状態で配置することができる。従って、回動部４１１及び変位部材４６をより確実に連動させることができ、ひいては変位部材４６の位置を、回動部４１１の状態（つまり、排水口１０４の開閉状態）を反映したものとすることがより確実に可能となる。これにより、センサ４８Ａ，４８Ｂによって、変位部材４６の位置に基づき、排水口１０４の開閉状態をより正確に検知することできる。
【０１２１】
特に本実施形態では、回動部４１１（ピニオン４１１Ｃ）に対し変位部材４６が直接的に噛合されているため、回動部４１１及び変位部材４６を一層確実に連動させることができる。これにより、変位部材４６の位置を、回動部４１１の状態（つまり、排水口１０４の開閉状態）を反映したものとすることがより一層確実に可能となる。その結果、変位部材４６の位置に基づき、排水口１０４の開閉状態を一段と正確に把握することができ、排水口１０４の開閉状態に係る検知精度をより高めることができる。
【０１２２】
また、本実施形態では、本体管３１の中心軸に到達しないように構成された比較的短い支持部４１２によって、本体管３１の内周面に沿って配置された被支持部５１２が支持される。従って、支持部４１２に対し、排水に含まれるごみや毛髪等の異物が付着してしまうことを効果的に抑制できる。さらに、配管３のうち支持部４１２から先（下方）に位置する部位などを比較的容易に清掃することができる。これらの結果、清掃性や衛生性の向上を図ることができる。
【０１２３】
さらに、減速歯車群４５及びウォームギア４７Ｂは、モータ４７から回動部４１１へと駆動力を伝達するという機能のみならず、駆動力以外の外力の影響によって回動部４１１が意図せず回動してしまうことを防止し、回動部４１１を一定位置にてロックするという機能をも発揮する。具体的には、減速歯車群４５で生じる抵抗（摩擦力等）やウォームギア４７Ｂ及び第一歯車４５１により奏されるセルフロック効果によって、回動部４１１を一定位置にてロックする機能が発揮される。従って、回動部４１１をロックするにあたって、ロックのための機構を別途設ける必要はなく、さらに、ロックのために電力を要することもない。そのため、製造コストを抑えることができ、また、使用に際しては、非常に省エネルギーでかつ経済的というメリットを生じさせることができる。
【０１２４】
加えて、配管３に対し、栓蓋電動ユニット４及び栓蓋手動ユニット９のいずれかを選択的に取付けることができ、また、両ユニット４，９は、共通の取付手法によって配管３へと取付可能とされている。すなわち、どちらのユニット４，９を取付ける場合であっても、取付手法に変わりはない。従って、ユニット４，９の取付に係る利便性を高めることができ、ユニット４，９の切替などの作業を非常に容易に行うことができる。
【０１２５】
また、どちらのユニット４，９を用いた場合であっても、排水栓装置１を構成するその他の部品（例えば、栓蓋５５や配管３など）を共通で用いることができる。従って、製造コストの低減を図ることができる。
【０１２６】
尚、上記実施形態の記載内容に限定されず、例えば次のように実施してもよい。勿論、以下において例示しない他の応用例、変更例も当然可能である。
【０１２７】
（ａ）駆動部４７Ａから回動部４１１に対する駆動力の伝達機構の構成を、適宜変更してもよい。例えば、減速歯車群４５を構成する歯車の数や、ウォームギア４７Ｂの回転数とこれに噛合される歯車の回転数との比などを適宜変更してもよい。
【０１２８】
また、上記実施形態では、減速歯車群４５を介して、駆動部４７Ａにて生じた駆動力が回動部４１１へと伝達されるようになっているが、減速歯車群４５を介することなく、例えば、ウォームギア４７Ｂがピニオン４１１Ｃと直接噛合されることで、駆動部４７Ａにて生じた駆動力が回動部４１１に対し直接伝達されるように構成してもよい。
【０１２９】
（ｂ）上記実施形態では、駆動部４７Ａの回動軸は鉛直方向に延びるように構成されているが、駆動部４７Ａの回動軸が水平方向や斜め水平方向に延びるように構成してもよい。
【０１３０】
また、上記実施形態では、回動部４１１の回動軸に対し、駆動部４７Ａの回動軸を投影してなる直線が直交した状態となるように構成されているが、両回動軸の位置関係を変更してもよい。例えば、両回動軸が平行な状態となるように構成してもよいし、両回動軸が直交するように構成してもよい。
【０１３１】
（ｃ）栓蓋電動ユニット４に対し、栓蓋５５の手動操作を可能とする機構を設けることとしてもよい。例えば、チューブ接続部４３１Ｇに対しチューブ部材（例えば、前記チューブ部材９４）を接続するとともに、チューブ部材の内周に、ワイヤ状の伝達部材（例えば、前記伝達部材９５）を往復移動可能な状態で挿通し、伝達部材を、図示しない所定の操作部材（例えば、操作ボタン）の変位に伴いチューブ部材内にて往復動作するように構成する。また、伝達部材を、チューブ部材の先端部から突出させ、変位部材４６に対し接続した状態とする。尚、変位部材４６の往復移動による回動部４１１の円滑な回動を図るという点では、減速歯車群４５を低抵抗で回転可能な歯車により構成したり、減速歯車群４５における減速比を調節したり、減速歯車群４５を構成する歯車の数を減じたり、減速歯車群４５をなくしたりすることが好ましい。
【０１３２】
上記のように構成した場合、排水口１０４が開状態であるときに、前記操作部材を変位させ、前記伝達部材を往動（前記操作部材側から栓蓋電動ユニット４側へと移動）させることで、変位部材４６が往動する。その結果、回動部４１１が一方側へと回動することに伴い支持部４１２が下動することで、栓蓋５５が下動し、排水口１０４が閉状態とされる。
【０１３３】
一方、排水口１０４が閉状態であるときに、前記操作部材を変位させ、前記伝達部材を復動（栓蓋電動ユニット４側から前記操作部材側へと移動）させることで、変位部材４６が復動する。その結果、回動部４１１が他方側へと回動することに伴い支持部４１２が上動することで、栓蓋５５が上動し、排水口１０４が開状態とされる。
【０１３４】
上記のように電動及び手動の双方で排水口１０４の開閉状態を切換可能とすることによって、例えば、モータ４７や前記制御手段など、給電により動作する部品が故障したときなどであっても排水口１０４の開閉状態を切換えることができる。従って、利便性の向上を図ることができる。
【０１３５】
（ｄ）上記実施形態では、減速歯車群４５及びウォームギア４７Ｂの双方の働きによって、回動部４１１をロックする機能が発揮されている。これに対し、減速歯車群４５で生じる抵抗のみによって回動部４１１をロックの機能が発揮されるように構成してもよい。また、ウォームギア４７Ｂ及びこれに噛合される歯車によって奏されるセルフロック効果のみによって、回動部４１１をロックする機能が発揮されるように構成してもよい。
【０１３６】
（ｅ）配管３に対する栓蓋電動ユニット４や栓蓋手動ユニット９の取付手法は、上記実施形態で挙げたものに限定されるものではなく、適宜変更可能である。従って、例えば、配管３に対し栓蓋電動ユニット４や栓蓋手動ユニット９をねじ止めすることとしてもよいし、スナップフィットを利用して配管３に対し栓蓋電動ユニット４や栓蓋手動ユニット９を取付けることとしてもよい。
【０１３７】
（ｆ）上記実施形態では、栓蓋５５（パッキン部５５Ｂ）が底壁部１０１に接触することで、排水口１０４が閉鎖されるように構成されているが、栓蓋５５（パッキン部５５Ｂ）が排水口部材２に接触することで、排水口１０４が閉鎖されるように構成してもよい。
【０１３８】
（ｇ）上記実施形態では、槽体として洗面ボール１００を例示しているが、本発明の技術思想を適用可能な槽体は洗面ボールに限定されるものではない。従って、例えば、浴槽やキッチンの流し台などに対し本発明の技術思想を適用することとしてもよい。
【符号の説明】
【０１３９】
１…排水栓装置、３…配管、４…栓蓋電動ユニット、９…栓蓋手動ユニット、３１…本体管、４１…回動体、４３…ケース、４５…減速歯車群（減速歯車部）、４６…変位部材、４６Ａ…歯、４７…モータ（通電駆動機構）、４７Ａ…駆動部、４８Ａ…第一磁気センサ（開閉状態検知センサ）、４８Ｂ…第二磁気センサ（開閉状態検知センサ）、５３…アブソーバスプリング、５５…栓蓋、１００…洗面ボール（槽体）、１０１…底壁部、１０４…排水口、４１１…回動部、４１１Ｃ…ピニオン、４１２…支持部、４５１…第一歯車（歯車）、４５２…第二歯車（歯車）、４５３…第三歯車（歯車）、４５４…第四歯車（歯車）、５１２…被支持部。
【図１】
2018204368.tif 000003
【図２】
2018204368.tif 000004
【図３】
2018204368.tif 000005
【図４】
2018204368.tif 000006
【図５】
2018204368.tif 000007
【図６】
2018204368.tif 000008
【図７】
2018204368.tif 000009
【図８】
2018204368.tif 000010
【図９】
2018204368.tif 000011
【図１０】
2018204368.tif 000012